(57)【特許請求の範囲】
【請求項１】
液晶層を挟んで対向する上下部基板と；前記下部基板上に垂直に交差配列され、第１領域と第２領域に分けられた単位画素領域を限定するゲートバスライン及びデータバスラインと；前記ゲートバスライン及びデータバスラインの交点附近に備えるスイッチング素子と；第１及び第２カウンタ電極とディスプレイ信号を印加される画素電極と；を含む広視野角の液晶表示装置において、前記画素電極は前記第１領域と第２領域に対応して第１画素電極部と第２画素電極部に分けられ、前記画素電極（第１画素電極部と第２画素電極部）、第１及び第２カウンタ電極に信号が印加されないとき（以下「スイッチング素子の非動作のとき」と言う）、液晶層内の分子がツイストした状態に配列され、前記画素電極（第１画素電極部と第２画素電極部）、第１及び第２カウンタ電極に信号が印加されるとき（以下「スイッチング素子の動作のとき」と言う）、画素電極とカウンタ電極が液晶層を挟んで上下部基板に対向配置された前記単位画素領域の第１領域（第１画素電極部）では、画素電極とカウンタ電極の間で垂直な電界が形成され、画素電極とカウンタ電極が同基板に形成された前記単位画素領域の第２領域（第２画素電極部）では、画素電極とカウンタ電極の間で水平な電界が同時に形成されることを特徴とする広視野角の液晶表示装置。
【請求項２】
前記単位画素領域の第１領域では画素電極（第１画素電極部）と第２カウンタ電極が液晶層を挟んで上下部基板に各々対向配置されており、第２領域では画素電極（第２画素電極部）と第１カウンタ電極が同基板に交互に形成されていることを特徴とする請求項１記載の広視野角の液晶表示装置。
【請求項３】
液晶層を挟んで対向する上下部基板；
前記下部基板の前面上に垂直に交差配列され、第１領域と第２領域に分けられた単位画素領域を限定するゲートバスライン及びデータバスライン；
前記ゲートバスライン及びデータバスラインの交点附近に備えるスイッチング素子；
前記スイッチング素子と接続され、スイッチング素子の動作時にデータバスライン信号を伝達する画素電極；及び
前記画素電極と共に電界を形成するカウンタ電極を含み、
前記単位画素領域の第１領域では画素電極とカウンタ電極が液晶層を挟んで上下部基板に各々対向配置されており、
第２領域では画素電極とカウンタ電極が同基板に交互に形成されていることを特徴とする広視野角の液晶表示装置。
【請求項４】
前記上部及び下部基板のそれぞれの結果物上には配向膜がさらに形成され、前記下部基板に形成される配向膜は前記データバスラインと所定角度をなすようにラビングされ、前記上部基板に形成される配向膜は下部基板に形成される配向膜のラビング方向と直交することを特徴とする請求項３記載の広視野角の液晶表示装置。
【請求項５】
前記下部基板に形成される配向膜のラビング方向と前記データバスラインとがなす角は±４５゜程度であることを特徴とする請求項４記載の広視野角の液晶表示装置。
【請求項６】
前記上下部基板の背面にはそれぞれ偏光板がさらに付着され、前記下部基板側偏光板の偏光軸は前記下部基板の配向膜のラビング方向と一致するように、前記上部基板側偏光板の偏光軸は前記下部基板側偏光板の偏光軸と平行するように付着されることを特徴とする請求項４記載の広視野角の液晶表示装置。
【請求項７】
液晶層を挟んで対向する上下部基板；
前記下部基板の前面上に垂直に交差配列され、第１領域と第２領域に分けられた単位画素領域を限定するゲートバスライン及びデータバスライン；
前記ゲートバスライン及びデータバスラインの交点附近に備えるスイッチング素子；
前記下部基板の単位画素領域に方形枠状に形成される第１カウンタ電極；
前記下部基板の単位画素領域に前記第１カウンタ電極とオーバーラップするように配置される画素電極として、前記単位画素領域の第１領域では板状に形成され、第２領域ではロッド形状に形成される画素電極；
前記上部基板の前面の単位画素領域に対応する部分に形成される第２カウンタ電極として、前記第２カウンタ電極のうち、前記板状の画素電極部分との対応部分は板状からなり、ロッド形状の画素電極部分との対応部分は単位画素領域の縁部を囲む枠状からなる第２カウンタ電極；
前記下部及び上部基板のそれぞれの前面に形成される水平配向膜；及び
前記下部及び上部基板のそれぞれの背面に配置される偏光板を含み、
前記画素電極とカウンタ電極の間に、電界形成時、前記板状の画素電極と前記板状の第２カウンタ電極の間に垂直電界が形成されると同時に、前記ロッド形状の画素電極とこのロッド形状の画素電極と隣接した枠状の第１カウンタ電極の間に水平電界が形成されることを特徴とする広視野角の液晶表示装置。
【請求項８】
前記下部基板に形成される配向膜は前記データバスラインと所定角度をなすようにラビングされ、前記上部基板に形成される配向膜は下部基板に形成される配向膜のラビング方向と直交することを特徴とする請求項７記載の広視野角の液晶表示装置。
【請求項９】
前記下部基板に形成される配向膜のラビング方向と前記データバスラインとがなす角は±４５゜程度であることを特徴とする請求項８記載の広視野角の液晶表示装置。
【請求項１０】
前記下部基板側偏光板の偏光軸は前記下部基板の配向膜のラビング方向と一致するように、前記上部基板側偏光板の偏光軸は前記下部基板側偏光板の偏光軸と平行するように付着されることを特徴とする請求項７記載の広視野角の液晶表示装置。
【請求項１１】
液晶層を挟んで対向する上下部基板；
前記下部基板の前面上に垂直に交差配列され、第１領域と第２領域に分けられた単位画素領域を限定するゲートバスライン及びデータバスライン；
前記ゲートバスライン及びデータバスラインの交点附近に備えるスイッチング素子；
前記下部基板の単位画素領域に方形枠状に形成される第１カウンタ電極として、前記単位画素領域の第１領域に対応する部分に少なくとも一つ以上のブランチを含む第１カウンタ電極；
前記下部基板の単位画素領域に前記第１カウンタ電極とオーバーラップするように配置される画素電極として、前記枠状だけの第１カウンタ電極との対応部分は板状に形成され、ブランチが形成された領域には前記ブランチ部分と枠状の間に挿入される少なくとも一つ以上のロッド形状に形成される画素電極；
前記上部基板の単位画素領域に対応する部分に形成される第２カウンタ電極として、前記第２カウンタ電極のうち、前記板状の画素電極部分との対応部分は板状からなり、ロッド形状の画素電極との対応部分は単位画素領域の縁部を囲む枠状からなる第２カウンタ電極；
前記下部及び上部基板のそれぞれの対向面に形成される水平配向膜；及び
前記下部及び上部基板のそれぞれの背面に配置される偏光板を含み、
前記画素電極とカウンタ電極の間に、電界印加時、前記板状の画素電極と前記板状の第２カウンタ電極の間に垂直電界が形成されると同時に、前記ロッド形状の画素電極とこのロッド形状の画素電極と隣接した枠状の第１カウンタ電極の間に水平電界が形成されることを特徴とする広視野角の液晶表示装置。
【請求項１２】
前記下部基板に形成される配向膜は前記データバスラインと所定角度をなすようにラビングされ、前記上部基板に形成される配向膜は下部基板に形成される配向膜のラビング方向と直交することを特徴とする請求項１１記載の広視野角の液晶表示装置。
【請求項１３】
前記下部基板に形成される配向膜のラビング方向と前記データバスラインとがなす角は±４５゜程度であることを特徴とする請求項１２記載の広視野角の液晶表示装置。
【請求項１４】
前記下部基板側偏光板の偏光軸は前記下部基板の配向膜のラビング方向と一致するように、前記上部基板側偏光板の偏光軸は前記下部基板側偏光板の偏光軸と平行するように付着されることを特徴とする請求項１１記載の広視野角の液晶表示装置。
【発明の詳細な説明】
【０００１】
【発明の属する技術分野】
本発明は、広視野角の液晶表示装置に関し、特に単位画素領域内に基板面に対して垂直な電界と水平な電界が同時に形成されることで、広視野角が実現できる液晶表示装置に関する。
【０００２】
【従来の技術】
インプレインスイッチング(in plane switching；以下、ＩＰＳ)モードの液晶表示装置は、ＴＮ(twisted nematic)モード液晶表示装置の視野角特性を補償する為に日本国日立社で開発した横電界駆動用液晶表示装置である(Principle and characteristicofelectro-optical behaviour with in-plane switching mode, Asia display 95, p577〜580)
【０００３】
かかるＩＰＳモードの液晶表示装置は、図１に示すように、液晶を駆動させる電極２ａ、２ｂがともに同基板１面に一定間隔をおいて離隔された状態に配置される。この電極２ａ、２ｂの形成された基板１面の上部には水平配向膜(図示せず)が形成される。この水平配向膜は電極２ａ、２ｂと所定角度、例えば約±４５‘程度をなすようにラビングされる。また、図示しないが、基板１の背面にはラビング方向と同じ偏光軸を持つ第１偏光板が具備され、基板１と対向する上部基板には第１偏光板の偏光軸と平行な第２偏光板が具備される。
【０００４】
こうしたＩＰＳモードの液晶表示装置は次の通り動作を行う。
まず、電極２ａ、２ｂに電圧が印加されないと、液晶分子３はその長軸と配向膜のラビング方向が平行になるように配列される。これにより、画面は黒状態となる。
【０００５】
一方、電極２ａ、２ｂに所定電圧が印加されると、電極２ａ、２ｂ間に電界Ｅが形成される。この時、電極２ａ、２ｂがともに同基板面に配置されているため、電界Ｅは基板面と平行な形態を持つ。これにより、配向膜のラビング方向に配列されていた液晶分子は、例えば誘電率異方性が正の場合、電界と液晶分子の長軸が平行になるように時計方向にツイストされる。よって、画面は白状態となる。
【０００６】
【発明が解決しようとする課題】
しかしながら、前記の様なＩＰＳモード液晶表示装置は、電界が形成された時すなわち白状態の時、液晶分子の屈折率異方性により見る方向によって違う色相が見られる。
【０００７】
具体的に説明すれば、図面のＸ方向から画面を見た場合には、液晶分子３の短軸を見ることになり、画面は白色から短波長の青色を帯びるようになる。
【０００８】
一方、図面のＹ方向から画面を見た場合には、液晶分子３ｂの長軸を見ることになり、白色より長波長の黄色を帯びるようになる。これにより、液晶画面の画質が低下する。前記技術はSID´97, page 929〜932に詳しく記載されている。
【０００９】
従って、本発明は前記問題点を解決するためになされたもので、その目的とするところは、白状態の時、カラーシフト現象を防止しながら広視野角が得られる広視野角の液晶表示装置を提供することにある。
【００１０】
【課題を解決するための手段】
前記本発明の目的を達成するために、本発明は、液晶層を挟んで対向する上下部基板と；前記下部基板上に垂直に交差配列され、第１領域と第２領域に分けられた単位画素領域を限定するゲートバスライン及びデータバスラインと；前記ゲートバスライン及びデータバスラインの交点附近に備えるスイッチング素子と；第１及び第２カウンタ電極とディスプレイ信号を印加される画素電極と；を含む広視野角の液晶表示装置において、前記画素電極は前記第１領域と第２領域に対応して第１画素電極部と第２画素電極部に分けられ、前記画素電極（第１画素電極部と第２画素電極部）、第１及び第２カウンタ電極に信号が印加されないとき（以下「スイッチング素子の非動作のとき」と言う）、液晶層内の分子がツイストした状態に配列され、前記画素電極（第１画素電極部と第２画素電極部）、第１及び第２カウンタ電極に信号が印加されるとき（以下「スイッチング素子の動作のとき」と言う）、画素電極とカウンタ電極が液晶層を挟んで上下部基板に対向配置された前記単位画素領域の第１領域（第１画素電極部）では、画素電極とカウンタ電極の間で垂直な電界が形成され、画素電極とカウンタ電極が同基板に形成された前記単位画素領域の第２領域（第２画素電極部）では、画素電極とカウンタ電極の間で水平な電界が同時に形成されることを特徴とする。
【００１１】
また、本発明の他の実施例によれば、液晶層を挟んで対向する上下部基板；前記下部基板の前面上に垂直に交差配列され、第１領域と第２領域に分けられた単位画素領域を限定するゲートバスライン及びデータバスライン；前記ゲートバスライン及びデータバスラインの交点附近に備えるスイッチング素子；前記スイッチング素子と接続され、スイッチング素子の動作時にデータバスライン信号を伝達する画素電極；及び前記画素電極と共に電界を形成するカウンタ電極を含み、前記単位画素領域の第１領域では画素電極とカウンタ電極が液晶層を挟んで上下部基板に各々対向配置されており、第２領域では画素電極とカウンタ電極が同基板に交互に形成されていることを特徴とする。
【００１２】
また、本発明の他の実施例によれば、液晶層を挟んで対向する上下部基板；前記下部基板の前面上に垂直に交差配列され、第１領域と第２領域に分けられた単位画素領域を限定するゲートバスライン及びデータバスライン；前記ゲートバスライン及びデータバスラインの交点附近に備えるスイッチング素子；前記下部基板の単位画素領域に方形枠状に形成される第１カウンタ電極；前記下部基板の単位画素領域に前記第１カウンタ電極とオーバーラップするように配置される画素電極として、前記単位画素領域の第１領域では板状に形成され、第２領域ではロッド形状に形成される画素電極；前記上部基板の前面の単位画素領域に対応する部分に形成される第２カウンタ電極として、前記第２カウンタ電極のうち、前記板状の画素電極部分との対応部分は板状からなり、ロッド形状の画素電極部分との対応部分は単位画素領域の縁部を囲む枠状からなる第２カウンタ電極；前記下部及び上部基板のそれぞれの前面に形成される水平配向膜；及び前記下部及び上部基板のそれぞれの背面に配置される偏光板を含み、前記画素電極とカウンタ電極の間に、電界形成時、前記板状の画素電極と前記板状の第２カウンタ電極の間に垂直電界が形成されると同時に、前記ロッド形状の画素電極とこのロッド形状の画素電極と隣接した枠状の第１カウンタ電極の間に水平電界が形成されることを特徴とする。
【００１３】
また、本発明は、液晶層を挟んで対向する上下部基板；前記下部基板の前面上に垂直に交差配列され、第１領域と第２領域に分けられた単位画素領域を限定するゲートバスライン及びデータバスライン；前記ゲートバスライン及びデータバスラインの交点附近に備えるスイッチング素子；前記下部基板の単位画素領域に方形枠状に形成される第１カウンタ電極として、前記単位画素領域の第１領域に対応する部分に少なくとも一つ以上のブランチを含む第１カウンタ電極；前記下部基板の単位画素領域に前記第１カウンタ電極とオーバーラップするように配置される画素電極として、前記枠状だけの第１カウンタ電極との対応部分は板状に形成され、ブランチが形成された領域には前記ブランチ部分と枠状の間に挿入される少なくとも一つ以上のロッド形状に形成される画素電極；前記上部基板の単位画素領域に対応する部分に形成される第２カウンタ電極として、前記第２カウンタ電極のうち、前記板状の画素電極部分との対応部分は板状からなり、ロッド形状の画素電極との対応部分は単位画素領域の縁部を囲む枠状からなる第２カウンタ電極；前記下部及び上部基板のそれぞれの対向面に形成される水平配向膜；及び前記下部及び上部基板のそれぞれの背面に配置される偏光板を含み、前記画素電極とカウンタ電極の間に、電界印加時、前記板状の画素電極と前記板状の第２カウンタ電極の間に垂直電界が形成されると同時に、前記ロッド形状の画素電極とこのロッド形状の画素電極と隣接した枠状の第１カウンタ電極の間に水平電界が形成されることを特徴とする。
【００１４】
本発明によれば、単位画素内に電圧印加時、垂直電界及び水平電界が同時に形成されるようにして、カラーシフトを除去して広視野角を図ることができる。
【００１５】
また、垂直電界が単位画素の一部領域に形成されることで、既存のＩＰＳモードより応答速度が改善される。
【００１６】
さらに、上部基板に電極が存在するため、上部基板表面に発生する静電気を容易に除去できる。
【００１７】
【発明の実施の形態】
以下、添付図面に基づき、本発明の好適実施例を詳細に説明する。
図２は本発明による液晶表示装置の下部基板平面図で、図３は本発明による液晶表示装置の上部基板平面図で、図４は本発明による液晶表示装置の斜視図である。
【００１８】
まず、図２を参照して下部基板構造を説明する。
同図に示すように、下部基板１０上に多数のゲートバスライン１１とデータバスライン１５が下部基板の前面上に交差配列され、マトリックス状に単位画素領域を限定する。図では一つの単位画素領域を説明するために、一つのゲートバスライン１１と一つのデータバスライン１５だけを示した。ここで、ゲートバスライン１１とデータバスライン１５はゲート絶縁膜(図示せず)を挟んで絶縁されており、ゲートバスライン１１は下部基板１０の前面に配置され、データバスライン１５はゲート絶縁膜上に配置される。前記ゲートバスライン１１とデータバスライン１５は割に電導特性の優れたＭｏＷまたはアルミニウム合金膜などが用いられる。
【００１９】
また、ゲートバスライン１１とデータバスライン１５のそれぞれの交点には薄膜トランジスタＴＦＴが具備される。
【００２０】
限定した単位画素領域内には枠状望ましくは方形枠状の第１カウンタ電極１２が配置される。ここで、第１カウンタ電極１２は該単位画素領域を限定するゲートバスライン１１とデータバスライン１５とがそれぞれ所定距離をおいて離隔配置される。また、各単位画素領域に配置したそれぞれの第１カウンタ電極１２はともに同一信号を印加されるべきであるため、隣接した他の単位画素領域の第１カウンタ電極１２と縛られる。第１カウンタ電極１２はゲートバスライン１１と同一物質にして、ゲートバスライン１１と同時に形成される。図面から、Ｘ１領域は単位画素をゲートバスライン方向に両分した時の下側領域（以下、第１領域という）で、Ｘ２領域は単の上側領域（以下、第２領域という）である。
【００２１】
また、第１カウンタ電極１２の形成された単位画素領域のそれぞれには、前記薄膜トランジスタとコンタクトされ、ディスプレイ信号(データバスライン信号)を印加される画素電極１６が配置される。このとき、前記画素電極１６はピストン-ロッド(piston-rod)形状として、第１領域Ｘ１に形成された方形板状の第１画素電極部１６ａと、第２領域Ｘ２に前記第１画素電極部１６ａと一体に前記データバスラインと平行に形成され、ロッド形状を持つ第２画素電極部１６ｂとからなる。望ましくは該単位画素を選択する薄膜トランジスタＴＦＴと隣接した部分に第１画素電極部１６ａが配置されるようにする。前記画素電極１６は透明電導体例えばＩＴＯ(indium tin oxide)物質で形成される。
【００２２】
これと対向する上部基板構造は、図３に示すように、一周面にカラーフィルタ(図示せず)が具備された上部基板２０上に第２カウンタ電極２２が形成される。このとき、第２カウンタ電極２２は板形状からなるが、下部基板１０の第２領域Ｘ２部分には開口部ＡＰが具備される。なお、前記第２カウンタ電極２２も開口率を考慮して、透明物質で形成される。また、第１及び第２カウンタ電極１２、２２は同じ共通信号(common signal)が印加される。
【００２３】
上下部基板２０、１０の結果物上には次に封入される液晶の初期配向を決定する配向膜(図示せず)がそれぞれ形成される。前記配向膜は所定のプレティルト角を持つ水平配向膜として、そのうち、下部基板１０の結果物上に形成される配向膜(以下、第１配向膜という)はデータバスライン１５と所定角度例えば±４５゜程度にラビングされ、上部基板２０の結果物上に形成される配向膜(以下、第２配向膜という)は第１配向膜のラビング方向と交叉する方向にラビングされる。
【００２４】
上下部基板２０、１０の背面には光源への入射光を一定方向だけフィルターリングする偏光板がそれぞれ付着される。このとき、下部基板１０の背面に付着される偏光板(以下、第１偏光板という)の偏光軸は前記第１配向膜のラビング軸と同方向に付着される。一方、上部基板２０の背面に付着される偏光板(以下、第２偏光板という)の偏光軸は第１偏光板の偏光軸と同方向に付着される。
【００２５】
こうした上下部基板が対向するように貼り合わせて、液晶を封入した液晶表示装置の構造を図４に示した。
まず、画素電極１６と第１及び第２カウンタ電極１２、２２に電圧が印加されないと、交叉した配向膜のラビング軸によって、液晶分子がツイストに配列される。このとき、第１及び第２偏光板の偏光軸が平行に配列されているため、下部基板底面への入射光は第２偏光板を通過することができず、画面は黒状態となる。
【００２６】
一方、画素電極１６にディスプレイ信号が印加され、第１及び第２カウンタ電極１２、２２に共通信号が印加されると、画素電極１６とカウンタ電極１２、２２の間に電界が形成される。このとき、第１領域Ｘ１では画素電極１６すなわち第１画素電極部１６ａと第２カウンタ電極２２の間で基板面に垂直な電界Ｅ１が形成され、第２領域Ｘ２では画素電極１６すなわち第２画素電極部１６ｂと第１カウンタ電極１２の間で基板面とほぼ平行な水平電界Ｅ２が形成される。よって、一つの単位画素領域に基板面に対して垂直な電界Ｅ１と水平な電界Ｅ２が同時に形成される。すると、誘電率異方性が正の液晶を用いる時、第１領域Ｘ１に存在する液晶分子はその長軸が垂直電界Ｅ１と平行に配列され、第２領域Ｘ２に存在する液晶分子はその長軸が水平電界Ｅ２と平行に配列され、二重ドメインが形成される。こうした液晶分子の３次元的な配列によって、液晶分子の屈折率異方性が補償され、カラーシフト現象がなくなり、かつ広視野角を図ることができる。
【００２７】
さらに、第１領域Ｘ１ではＴＮモードに、第２領域Ｘ２ではＩＰＳモードに動作するため、ＴＮモードの高速応答特性が達成でき、ＩＰＳモードの広視野角が得られる。
【００２８】
また、上部基板２０にも電極が存在するため、上部基板に発生する静電気を容易に除去できる。
【００２９】
また、図５（ａ）及び（ｂ）は本発明による他の実施例を説明するための図で、前記図５（ａ）及び（ｂ）に提示した液晶表示装置は前記図４のものより低い駆動電圧の要求に用いることができる。
【００３０】
この低い駆動電圧を要する液晶表示装置は、ゲートバスライン、データバスライン、配向膜、第２カウンタ電極及び偏光板構造は前記一実施例と同一で、第２領域Ｘ２での第１カウンタ電極と画素電極だけを変形したものである。
【００３１】
すなわち、図５（ａ）に示すように、第１カウンタ電極１２は単位画素領域の第２領域Ｘ２'にデータバスラインと平行に多数のブランチ、例えば２個のブランチ１２ａ'、１２ｂ'が等間隔に設置する。
【００３２】
続いて、図５（ｂ）に示すように、画素電極１６'は、単位画素領域の前記第１領域Ｘ１'に形成された方形板１６ａ'と、前記方形板１６ａ'と一体に前記第２領域Ｘ２'に形成された多数のロッド１６ｂ'、１６ｃ'、１６ｄ'とを備える。前記画素電極のロッドは前記第１カウンタ電極１２'のブランチ１２ａ'、１２ｂ'と交互に形成されるが、前記ロッドの数は望ましくは前記第１カウンタ電極１２'のブランチ１２ａ'、１２ｂ'の数より一つ多く形成する。このとき、第１カウンタ電極１２'のブランチと画素電極１６'のロッドは所定距離をおいて離隔されて平行に配列する。
【００３３】
このようにすれば、前記一実施例より単位画素領域の第２領域Ｘ２'で電極間の距離が狭くなることで、下部基板の表面に対して平行な電界の強さが大きくなり、駆動電圧を低くすることができる。
【００３４】
【発明の効果】
以上から詳述した様に、本発明によれば、単位画素内に電圧印加時、垂直電界及び水平電界が同時に形成されることで、カラーシフトが除去されて広視野角を図ることができる。
【００３５】
また、垂直電界が単位画素の一部領域に形成されることで、既存のＩＰＳモードより応答速度が改善される。
【００３６】
尚、本発明は、本実施例に限られるものではない。本発明の趣旨から逸脱しない範囲内で多様に変更実施することが可能である。
【図面の簡単な説明】
【図１】従来のＩＰＳ液晶表示装置の駆動原理を説明するための図である。
【図２】本発明による液晶表示装置の下部基板平面図である。
【図３】本発明による液晶表示装置の上部基板平面図である。
【図４】本発明による液晶表示装置の電極構造図である。
【図５】（ａ）及び（ｂ）は、本発明による別の実施例の広視野角の液晶表示装置の電極構造図である。
【符号の説明】
１０  下部基板
１１  ゲートバスライン
１２  第１カウンタ電極
１５  データバスライン
１６  画素電極
２０  上部基板
２２  第２カウンタ電極
【図１】
0003982571.tif 000002
【図２】
0003982571.tif 000003
【図３】
0003982571.tif 000004
【図４】
0003982571.tif 000005
【図５】
0003982571.tif 000006